(57)【要約】【課題】  ＭＭＣ規格のフラッシュメモリカードにＵＳＢ規格の４ピンの接続端子とを整合させたダブルインタフェイスメモリカードを提供する。【解決手段】  ＭＭＣフラッシュメモリカードの一端縁部にＵＳＢの４ピン規格の接続端子を設け、該ＵＳＢ規格の接続端子に隣接する位置を切り欠いてブロック部を着脱自在に設ける切り欠き部を形成し、該ブロック部の２辺の側壁と、該切り欠き部のＬ字状の断面の壁面上とにそれぞれ対応する係合部材を設けるとともに、該ブロック部の上面と、該ＵＳＢ規格の接続端子の底面とにそれぞれ対応する係合部材を設け、ＭＭＣ規格の接続端子を利用する場合は該ブロック部を該切り欠き部に係合させ、ＵＳＢ規格の接続端子を利用する場合は該ブロック部を取り外して該ＵＳＢ規格の接続端子の底面に係合させて端縁部がＵＳＢ接続ポートに挿入できる厚さになるように構成する。【選択図】  図２
0003115297.tif 000002
【実用新案登録請求の範囲】
【請求項１】
ＭＭＣ（Ｍｕｌｔｉ  Ｍｅｄｉａ  Ｃａｒｄ）フラッシュメモリカードの一端縁部にＵＳＢ（Ｕｎｉｖｅｒｓａｌ  Ｓｅｒｉａｌ  Ｂｕｓ）の４ピン（ｐｉｎ）規格の接続端子を設け、該ＵＳＢ規格の接続端子に隣接する位置を切り欠いてブロック部を着脱自在に設ける切り欠き部を形成し、
該ブロック部の２辺の側壁と、該切り欠き部のＬ字状の断面の壁面上とにそれぞれ対応する係合部材を設けるとともに、該ブロック部の上面と、該ＵＳＢ規格の接続端子の底面とにそれぞれ対応する係合部材を設け、
ＭＭＣ規格の接続端子を利用する場合は該ブロック部を該切り欠き部に係合させ、ＵＳＢ規格の接続端子を利用する場合は該ブロック部を取り外して該ＵＳＢ規格の接続端子の底面に係合させて端縁部がＵＳＢ接続ポートに挿入できる厚さになるように構成することを特徴とするダブルインタフェイスメモリカード。
【請求項２】
前記ブロック部を該切り欠き部に係合させる係合部材が、一方をオスの係合部材とし、他方をメスの係合部材とすることを特徴とする請求項１に記載のダブルインタフェイスメモリカード。
【請求項３】
前記ブロック部を該切り欠き部に係合させる係合部材が、一方をほぞ孔とし、他方をほぞとすることを特徴とする請求項１に記載のダブルインタフェイスメモリカード。
【請求項４】
前記ブロック部を該切り欠き部に係合させる係合部材が、一方を楔状の溝とし、他方を該楔状の溝に対応する楔状のブロックとすることを特徴とする請求項１に記載のダブルインタフェイスメモリカード。
【請求項５】
前記ブロック部を該ＵＳＢ規格の接続端子の底面に係合させる係合部材が、一方をオスの係合部材とし、他方をメスの係合部材とすることを特徴とする請求項１に記載のダブルインタフェイスメモリカード。
【請求項６】
前記ブロック部を該ＵＳＢ規格の接続端子の底面に係合させる係合部材が、一方をほぞ孔とし、他方をほぞとすることを特徴とする請求項１に記載のダブルインタフェイスメモリカード。
【請求項７】
前記ブロック部を該ＵＳＢ規格の接続端子の底面に係合させる係合部材が、一方を楔状の溝とし、他方を該楔状の溝に対応する楔状のブロックとすることを特徴とする請求項１に記載のダブルインタフェイスメモリカード。
【請求項８】
前記メモリカードのＵＳＢ規格の接続端子を設ける端縁部における幅が、ＵＳＢ接続ポートのサイズの規格に適うサイズであることを特徴とする請求項１に記載のダブルインタフェイスメモリカード。
【考案の詳細な説明】
【技術分野】
【０００１】
この考案は、メモリカードに関し、特にＭＭＣ規格のメモリカードにＵＳＢ規格の接続端子を整合させたダブルインタフェイスメモリカードに関する。
【背景技術】
【０００２】
フラッシュメモリ（Ｆｌａｓｈ  Ｍｅｍｏｒｙ）は、電源を切断してもデータ保存することができるとともに、モータで駆動する必要がないという特性を具えている。このため電気関連業者の間で急速に普及した。また、フラッシュメモリカードは保存したデータを携帯したいというニーズに応えるため、携帯電話、ＰＤＡ（Ｐｅｒｓｏｎａｌ  Ｄｉｇｉｔａｌ  Ａｓｓｉｓｔａｎｔｓ、個人用情報端末）、デジタルカメラ、ＭＰ３対応音楽プレーヤーなどの情報電子機器に次々と組み込まれた。ここから明らかなように、フラッシュメモリはデータの保存を目的として、情報電子機器に急速かつ広範囲に組み込まれている。
【０００３】
しかしながら、それぞれのメーカーは競争と利益獲得のため、異なる規格のフラッシュメモリカードを製造している。例えば、ＣＦカード（Ｃｏｍｐａｃｔ−Ｆｌａｓｈ  Ｃａｒｄ）、ＳＤカード（Ｓｅｃｕｒｅ−Ｄｉｇｉｔａｌ  Ｃａｒｄ）、ＭＳカード（Ｍｅｍｏｒｙ−Ｓｔｉｃｋ  Ｃａｒｄ）、ＳＭカード（Ｓｍａｒｔ−Ｍｅｄｉａ  Ｃａｒｄ）、ＸＤカード（ＸＤ  Ｐｉｃｔｕｒｅ  Ｃａｒｄ）、ＭＭＣカード（Ｍｕｌｔｉ  Ｍｅｄｉａ  Ｃａｒｄ）などが現在市場で販売されているメモリカードの規格である。
【０００４】
メモリカードの規格は、外観、厚さ、幅、長さ（深さ）、及び接続端子において他の規格と区別される。但し、目下のメモリカードの接続端子（ＰＩＮ）の数に係る規格は、複雑で共通性がない。例えば、ＣＦカードは５０ピン、ＳＤカードが９ピン、ＭＳカードが１０ピン、ＭＭＣカードが７ピン、ＳＭカードが２２ピンである。異なる接続規格のメモリカードは、データの読み取りに特定の読み取り装置を必要とする。これに鑑み、目下複数の規格に対応できるカードリーダーが販売されている。しかしながら、かかる読み取り装置は、それぞれ規格の異なるメモリカードの接続端子の位置を正確に計算して判別する必要がある。このため、接続端子の数量が増えるにつれて、製造コストの制限を受け、改良のための開発も制限を受ける。
【考案の開示】
【考案が解決しようとする課題】
【０００５】
この考案は、ＭＭＣ規格のフラッシュメモリカードにＵＳＢ規格の４ピン（ＰＩＮ）の接続端子を整合させたダブルインタフェイスメモリカードを提供することを課題とする。
【０００６】
また、この考案は既存するＵＳＢポートのシリアルバスの構造を援用してＭＭＣ規格のフラッシュメモリカード埋め込んだダブルインタフェイスメモリカードを提供することを課題とする。
【課題を解決するための手段】
【０００７】
そこで、本考案者は従来の技術に見られる欠点に鑑みて鋭意研究を重ねた結果、ＭＭＣ（Ｍｕｌｔｉ  Ｍｅｄｉａ  Ｃａｒｄ）フラッシュメモリカードの一端縁部にＵＳＢ（Ｕｎｉｖｅｒｓａｌ  Ｓｅｒｉａｌ  Ｂｕｓ）の４ピン（ｐｉｎ）規格の接続端子を設け、該ＵＳＢ規格の接続端子に隣接する位置を切り欠いてブロック部を着脱自在に設ける切り欠き部を形成し、該ブロック部の２辺の側壁と、該切り欠き部のＬ字状の断面の壁面上とにそれぞれ対応する係合部材を設けるとともに、該ブロック部の上面と、該ＵＳＢ規格の接続端子の底面とにそれぞれ対応する係合部材を設け、ＭＭＣ規格の接続端子を利用する場合は該ブロック部を該切り欠き部に係合させ、ＵＳＢ規格の接続端子を利用する場合は該ブロック部を取り外して該ＵＳＢ規格の接続端子の底面に係合させて端縁部がＵＳＢ接続ポートに挿入できる厚さになるように構成したダブルインタフェイスメモリカードの構造によって本考案の課題を解決できる点に着眼し、かかる知見に基づいて本考案を完成させた。
以下、この考案について具体的に説明する。
【０００８】
請求項１に記載するダブルインタフェイスメモリカードは、ＭＭＣ（Ｍｕｌｔｉ  Ｍｅｄｉａ  Ｃａｒｄ）フラッシュメモリカードの一端縁部にＵＳＢ（Ｕｎｉｖｅｒｓａｌ  Ｓｅｒｉａｌ  Ｂｕｓ）の４ピン（ｐｉｎ）規格の接続端子を設け、該ＵＳＢ規格の接続端子に隣接する位置を切り欠いてブロック部を着脱自在に設ける切り欠き部を形成し、
該ブロック部の２辺の側壁と、該切り欠き部のＬ字状の断面の壁面上とにそれぞれ対応する係合部材を設けるとともに、該ブロック部の上面と、該ＵＳＢ規格の接続端子の底面とにそれぞれ対応する係合部材を設け、
ＭＭＣ規格の接続端子を利用する場合は該ブロック部を該切り欠き部に係合させ、ＵＳＢ規格の接続端子を利用する場合は該ブロック部を取り外して該ＵＳＢ規格の接続端子の底面に係合させて端縁部がＵＳＢ接続ポートに挿入できる厚さになるように構成する。
【０００９】
請求項２に記載するダブルインタフェイスメモリカードは、請求項１におけるブロック部を該切り欠き部に係合させる係合部材が、一方をオスの係合部材とし、他方をメスの係合部材とする。
【００１０】
請求項３に記載するダブルインタフェイスメモリカードは、請求項１におけるブロック部を該切り欠き部に係合させる係合部材が、一方をほぞ孔とし、他方をほぞとする。
【００１１】
請求項４に記載するダブルインタフェイスメモリカードは、請求項１におけるブロック部を該切り欠き部に係合させる係合部材が、一方を楔状の溝とし、他方を該楔状の溝に対応する楔状のブロックとする。
【００１２】
請求項５に記載するダブルインタフェイスメモリカードは、請求項１におけるブロック部を該ＵＳＢ規格の接続端子の底面に係合させる係合部材が、一方をオスの係合部材とし、他方をメスの係合部材とする。
【００１３】
請求項６に記載するダブルインタフェイスメモリカードは、請求項１におけるブロック部を該ＵＳＢ規格の接続端子の底面に係合させる係合部材が、一方をほぞ孔とし、他方をほぞとする。
【００１４】
請求項７に記載するダブルインタフェイスメモリカードは、請求項１におけるブロック部を該ＵＳＢ規格の接続端子の底面に係合させる係合部材が、一方を楔状の溝とし、他方を該楔状の溝に対応する楔状のブロックとする。
【００１５】
請求項８に記載するダブルインタフェイスメモリカードは、請求項１におけるメモリカードのＵＳＢ規格の接続端子を設ける端縁部における幅が、ＵＳＢ接続ポートのサイズの規格に適うサイズである。
【考案の効果】
【００１６】
この考案の２種類のインタフェイスを具えたメモリカードは、１つのメモリカードにＭＭＣ規格の接続端子とＵＳＢ規格の接続端子を整合させることによって、特定の読み取り装置を用いるという制限がなくなり、使用上便利になるという効果を有する。
【考案を実施するための最良の形態】
【００１７】
この考案は、ＭＭＣ規格のメモリカードにＵＳＢ規格の接続端子を整合させたダブルインタフェイスメモリカードを提供するものであって、ＭＭＣ（Ｍｕｌｔｉ  Ｍｅｄｉａ  Ｃａｒｄ）フラッシュメモリカードの一端縁部にＵＳＢ（Ｕｎｉｖｅｒｓａｌ  Ｓｅｒｉａｌ  Ｂｕｓ）の４ピン（ｐｉｎ）規格の接続端子を設け、該ＵＳＢ規格の接続端子に隣接する位置を切り欠いてブロック部を着脱自在に設ける切り欠き部を形成し、該ブロック部の２辺の側壁と、該切り欠き部のＬ字状の断面の壁面上とにそれぞれ対応する係合部材を設けるとともに、該ブロック部の上面と、該ＵＳＢ規格の接続端子の底面とにそれぞれ対応する係合部材を設け、ＭＭＣ規格の接続端子を利用する場合は該ブロック部を該切り欠き部に係合させ、ＵＳＢ規格の接続端子を利用する場合は該ブロック部を取り外して該ＵＳＢ規格の接続端子の底面に係合させて端縁部がＵＳＢ接続ポートに挿入できる厚さになるように構成し、ＭＭＣ規格のフラッシュメモリカードにＵＳＢ規格の４ピン（ＰＩＮ）の接続端子を整合させてデータ保存を便利にするという目的を達成する。
係る構成の２種類の接続インタフェイスを具えたメモリカードついて、その構造と特徴を詳述するために具体的な実施例を挙げ、以下に説明する。
【実施例】
【００１８】
図１、図２、図３に開示するように、この考案のメモリカード１は、一方の端縁部１ａにＭＭＣ規格の接続端子１２を設け、他方の端縁部１ｂにはＵＳＢ規格の接続端子１３を設けてなる。該端縁部１ｂ形成されたＵＳＢ規格の接続端子１３に隣接する位置にブロック部１０を形成する。ＵＳＢ規格の接続端子１３を設ける端縁部の幅は、ＵＳＢ接続ポートのサイズの規格に適うサイズとする。
【００１９】
ブロック部１０は、着脱自在に形成される。ＭＭＣ規格の接続端子１２を使用する場合、ブロック部１０をメモリカード１から外す必要がないが、ＵＳＢ規格の接続端子１３を使用する場合には、ブロック部１０をメモリカード１から外した後、ブロック部１０の上面１０２をＵＳＢ規格の接続端子１３の底面１３１に嵌着する。このため、ＵＳＢ企画の接続端子１３の端縁部１ｂの厚さが増加し、ＵＳＢ接続ポートの必要とする厚さの規格に適合させることができる。
【００２０】
ブロック部１０とメモリカード１本体との着脱については、メモリカード１の切り欠き部１ｃのＬ字状を形成する断面１１、１１’と、ブロック部１０の側壁１０１、１０１’とに、それぞれ対応する係合部材を設け、ブロック部１０をメモリカード１の切り欠き部１ｃに着脱するために動作に供する。また、ブロック部１０の上面１０２とＵＳＢ規格の接続端子１３の端縁部１ｂの底面１３１とにも、同様にそれぞれ対応する係合部材を設け、ＵＳＢ規格で接続させる場合、該ブロック部１０の上面１０２をＵＳＢ規格の接続端子１３の底面１３１に係合させて、ＵＳＢ接続ポートが必要とする厚さに合うようにする。該嵌合部材は、一方に凹部、他方に凸部を形成形成するか、一方にほぞ穴、他方にほぞを形成して相互に係合させるか、もしくは楔形の溝と同様の形状の係合ブロック部材と係合させるにしてもよい。即ち、如何なる形態であろうと、メモリカード１とブロック部１０とを係合させることができればよい。
【００２１】
図４−１、図４−２に、この考案によるＭＭＣフラッシュメモリカードのブロック部１０を外して接続端子１３の底面１３１に係合させた状態を示した斜視図と側面図を開示する。ＭＭＣ規格の読取装置の要求に合わせるため、該ＭＭＣ規格のメモリカード１は、厚さＡを１．４ｍｍに形成する。但し、この厚さＡは、ＵＳＢ接続ポートの接続に必要とする厚さ２．２ｍｍに足りない。このため、ブロック部１０は厚さを０．８ｍｍに形成し、ＵＳＢ規格の接続に使用する場合にブロック部１０をメモリカード１の切り欠き部１ｃから取り外し、ブロック部１０の上面１０２をＵＳＢ規格の接続端子１３の底面１３１に係合させる。これによりブロック部１０の厚さ０．８ｍｍにＭＭＣ規格のメモリカード１の厚さＡの１．４ｍｍが加えられ、ＵＳＢ規格の接続端子１３の端縁部１ｂの厚さＢが２．２ｍｍになり、ＵＳＢ接続ポートの必要とする厚さに合わせることができる。
【００２２】
図５に開示するように、ＭＭＣ規格ノメモリカード１を使用する場合、一方の端縁部１ａがＭＭＣ規格の接続端子１２となり、該ＭＭＣ規格の接続端子１２をコンピュータ本体２のＭＭＣ規格の読み取り装置２１に挿接してデータの保存、読み込みを行う。また、該メモリカード１をＵＳＢ規格の接続ポート２２に接続する場合、端縁部１ｂのブロック部１０をメモリカード１から外し（図２参照）、ＵＳＢ規格の接続端子１３底面１３１に係合させ、ＵＳＢ規格の接続端子１３をＵＳＢ規格のポート２２に挿入する。
【００２３】
ＵＳＢ規格はホットスワッピング（Ｈｏｔ  Ｓｗａｐｐｉｎｇ）とＰｎＰの機能を具える。また、現在、情報通信製品にはＵＳＢ規格の接続インタフェイスがすでに幅広く普及しており、かつ極めて好ましい互換性を有する。これら特徴をまとめると、次のとおりである。
１、優れた拡充能力を具え、数十個もの周辺設備をタンデム接続することができる。
２、タンデム接続のＵＳＢ装置はいずれも１組の同じシステムのデータ・リソース（ＩＲＱ、ＤＭＡ、Ｉ／Ｏアドレス）を使用する。
３、ＵＳＢ２．０は４８０Ｍｂ／ｓの高速伝送能力を具える。
４、コンピュータ本体は、ＵＳＢインタフェイスを通して周辺設備に必要な電力を供給することができる。
５、ホットスワップ（Ｈｏｔ  Ｓｗａｐｐｉｎｇ）とピーエヌピー（ＰｎＰ）の機能を具える。
【００２４】
ＭＭＣ規格のメモリカードとＵＳＢ規格の接続端子１３を整合して一体に形成することの目的は、フラッシュメモリにＭＭＣ規格及びＵＳＢ規格という２種類の接続インタフェイスを与えることによって、ユーザーのデータ読み取りの便宜を図ることにある。即ち、特定の規格の読み取り装置を必要とせず、データの読み取りに規格の制限を受けるという問題を解決するものである。
【００２５】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２６】
【図１】この考案のダブルインタフェイスメモリカードの斜視図である。
【図２】図１に開示するダブルインタフェイスメモリカードにおけるブロック部の着脱の説明図である。
【図３】図１に開示するダブルインタフェイスメモリカードの平面図である。
【図４−１】図１に開示するダブルインタフェイスメモリカードのブロック部をＵＳＢ規格の接続端子の底部に係合させた状態の斜視図である。
【図４−２】図４−１に開示するダブルインタフェイスメモリカードの側面図である。
【図５】この考案によるダブルインタフェイスメモリカードの使用態様を示した説明図である。
【符号の説明】
【００２７】
１        メモリカード
１ａ      端縁部
１ｂ      端縁部
１ｃ      切り欠き状部
１０１    側壁
１０１’  側壁
１０２    表面
１１      Ｌ字状断面
１１’    Ｌ字状断面
１２      ＭＭＣ規格の接続端子
１３      ＵＳＢ規格の接続端子
１３１    底面
２        コンピュータ本体
２１      読み取り装置
２２      ポート
Ａ        厚さ
Ｂ        厚さ
【図１】
0003115297.tif 000003
【図２】
0003115297.tif 000004
【図３】
0003115297.tif 000005
【図４−１】
0003115297.tif 000006
【図４−２】
0003115297.tif 000007
【図５】
0003115297.tif 000008